(57)【要約】      （修正有）【課題】レインコートのオーバーパンツなどとして使用される脚カバーにおいて、ムレを抑え、かつ動きの自由度を高める。【解決手段】雨合羽５との組合わせで使用される脚カバー１において、ファスナー１４で展開して、筒状の脚カバー本体１１を使用者の脚に巻付けられるようにする。そして、その筒状の脚カバー本体１１は雨合羽５の裏側やズボンのベルトに、外側部１２側と内側部１３側との２箇所において、紐や帯状の吊具２１，２２によって吊下げる。したがって、使用者の股の内側から下腹部および臀部は露出しており（カバー１に覆われておらず）、ムレを防ぐことができるとともに、雨合羽５に対して脚カバー本体１１の動きの自由度を高めることができる。【選択図】図１
2017110306.tif 000002
【特許請求の範囲】
【請求項１】
使用者の脚部を保護する脚カバーにおいて、
左右の脚部をそれぞれ覆う筒状に形成され、その筒が少なくとも１箇所において展開可能な一対の脚カバー本体と、
前記一対の脚カバー本体の外側部側を、上着の腰部付近の裏側にそれぞれ連結する第１の吊具と、
前記脚カバー本体の内側部側を、前記上着の腹部付近の裏側にそれぞれ連結する第２の吊具とを含むことを特徴とする脚カバー。
【請求項２】
前記一対の脚カバー本体は、左右分が展開箇所において互いに連結されて太い筒に形成可能であり、スカート様に使用者の左右の脚を纏めてカバーすることを特徴とする請求項１記載の脚カバー。
【請求項３】
前記第１および／または第２の吊具は、
前記上着側および脚カバー本体側の少なくとも一方において、脚の周方向に間隔を開けた２点間を連結するガイド用紐体と、
前記上着側および脚カバー本体側の他方から延びて、その端部が前記ガイド用紐体に係合する懸架用紐体とを備えて構成されることを特徴とする請求項１記載の脚カバー。
【請求項４】
前記腹部付近の前記第２の吊具に関して、前記上着側に前記ガイド用紐体が設けられ、前記懸架用紐体は、そのガイド用紐体によるループを通して、反対脚の懸架用紐体と１本に連結されることを特徴とする請求項３記載の脚カバー。
【請求項５】
前記懸架用紐体は懸架ベルトから成り、該懸架ベルトには長手方向に複数箇所に第１の係止部材が設けられ、該懸架ベルトの先端に設けられる第２の係止部材が、前記上着と前記ガイド用紐体との間を挿通した後、任意の第１の係止部材に係止することで、前記連結片の長さ調整を実現することを特徴とする請求項３または４記載の脚カバー。
【請求項６】
前記第１および第２の吊具において、前記上着側にはガイド用紐体が取付けられ、前記脚カバー本体側からは前記懸架用紐体が延びることを特徴とする請求項３〜５の何れか１項に記載の脚カバー。
【請求項７】
前記第１および／または第２の吊具は、
前記上着側および脚カバー本体側に基端側がそれぞれ固着される連結片と、
前記連結片の遊端側にそれぞれ取付けられ、相互に嵌着する一対の嵌着部材とを備えて構成されることを特徴とする請求項１または２記載の脚カバー。
【請求項８】
前記一対の嵌着部材の一方には、前記連結片の長さ調整を実現するアジャスターを備えていることを特徴とする請求項７記載の脚カバー。
【請求項９】
前記第１および／または第２の吊具は、
前記上着側に固着される吊りカンと、
前記脚カバー本体側から延びる紐体と、
前記紐体の先端に取付けられ、前記吊りカンに係合するフックとを備えて構成されることを特徴とする請求項１または２記載の脚カバー。
【請求項１０】
前記請求項１〜９の何れか１項に記載の脚カバーを備えることを特徴とする前記上着としての雨合羽。
【請求項１１】
前記請求項１〜９の何れか１項に記載の脚カバーを備えることを特徴とする前記上着としてのジャンパー。
【請求項１２】
使用者の脚部を保護する脚カバーにおいて、
左右の脚部をそれぞれ覆う筒状に形成され、その筒が少なくとも１箇所において展開可能な一対の脚カバー本体と、
前記一対の脚カバー本体の外側部側を、使用者が着用したズボンの腰部付近におけるベルトまたはベルト通し孔にそれぞれ連結する第１の吊具と、
前記脚カバー本体の内側部側を、前記ズボンの腹部付近のベルトまたはベルト通し孔にそれぞれ連結する第２の吊具とを含むことを特徴とする脚カバー。
【発明の詳細な説明】
【技術分野】
【０００１】
本発明は、釣りや自転車に乗車する際に好適に利用され、オーバーパンツなどとしてズボンの上に穿かれるなどして、風雨、汚れ、寒さなどから、使用者の脚部を保護する脚カバーに関し、特に雨合羽やジャンパーと併用（連結して使用）されるものに関する。
【背景技術】
【０００２】
上記のような脚カバーを備える雨合羽は、特許文献１で提案されている。それによれば、筒状の脚カバーの左右の側を上着の裏側に縫い付けるとともに、脚カバーは上に折り畳んで胸から腹の辺りに収納するようにし、使用時は下に垂らして、展開状態から内股部分をファスナーで止めることで筒にして、脚をカバーするようになっている。こうして、日常的に違和感なく着衣できるととともに、歩行中や二輪車走行中の降雨に、座った状態でも、迅速かつ容易に、全身及び靴までカバーできる完全雨具としてのレインコートが提案されている。
【先行技術文献】
【特許文献】
【０００３】
【特許文献１】特開２０１０−３７７０５号公報
【発明の概要】
【発明が解決しようとする課題】
【０００４】
上述の特許文献１は、脚カバーまで雨合羽に内蔵して、必要な時は直ちに、靴を脱がなくても、脚カバーを装着できるようにした点で、優れている。しかしながら、上述のように、筒状の脚カバーの左右の側を上着の裏側に縫い付けているので、展開した脚カバーを脚に巻き付け、ファスナーを閉めて筒状にすると、前記縫い付けてある部分で、上着（雨合羽）は使用者に密着する。このため、特に気温の高い夏季には、使用者の下腹部から臀部が、ムレて不快であるという問題がある。
【０００５】
また、脚カバーの上着（雨合羽）への固定は、左右の側で行なわれ、股の内側は、左右の筒（脚カバー）が互いに連結されるだけである。そのため、脚カバーは、左右の側で（斜めに）引っ張り上げられることになり、内側に穿いているズボンが捲り上げられたり、脚の自由度が低い（動かし難い）という問題がある。
【０００６】
本発明の目的は、ムレ難く、脚が動き易い脚カバーならびにそれを備える雨合羽およびジャンパーを提供することである。
【課題を解決するための手段】
【０００７】
本発明の脚カバーは、使用者の脚部を保護する脚カバーにおいて、左右の脚部をそれぞれ覆う筒状に形成され、その筒が少なくとも１箇所において展開可能な一対の脚カバー本体と、前記一対の脚カバー本体の外側部側を、上着の腰部付近の裏側にそれぞれ連結する第１の吊具と、前記脚カバー本体の内側部側を、前記上着の腹部付近の裏側にそれぞれ連結する第２の吊具とを含むことを特徴とする。
【０００８】
上記の構成によれば、雨合羽やジャンパーなどの上着に組合わせて使用され、オーバーパンツなどとしてズボンの上に穿かれるなどして、風雨、汚れ、寒さなどから、使用者の脚部を保護する脚カバーにおいて、脚カバー本体を、左右の太股から足首付近の脚部をそれぞれ覆う一対の筒状に形成し、その筒が少なくとも周方向の１箇所において、軸方向に分離することで展開して装脱可能にする。これによって、上着を着たままで、靴を脱ぐこと無く、脚に巻き付けて、当該脚カバーを装着することができる。
【０００９】
さらに、その筒状の脚カバー本体に、上着の裏側に縫い付けや接着などで一端が固着された紐または帯状の吊具の他端を連結するなどして、当該脚カバー本体を前記上着の裏側で吊下げる。これによって、使用者の股の内側から下腹部および臀部は露出しており（カバーに覆われておらず）、ムレを防ぐことができるとともに、上着に対する脚カバー本体の動きの自由度を高めることができる。
【００１０】
さらにまた、その連結を、たとえば紐または帯状の第１および第２の吊具によって、一対の脚カバー本体の外側部側と内側部側との２箇所、すなわち筒の略１８０°対向位置で行なうことで、脚の動きによる該脚カバー本体と下（内）側のズボンなどに対するずれを、バランス良く規制することができ、動き易くなる。
【００１１】
また、本発明の脚カバーでは、前記一対の脚カバー本体は、左右分が展開箇所において互いに連結されて太い筒に形成可能であり、スカート様に使用者の左右の脚を纏めてカバーすることを特徴とする。
【００１２】
上記の構成によれば、前記オーバーパンツだけではなく、オーバースカートとしての使用も可能になり、該脚カバーを男女共通に使用することができる。
【００１３】
さらにまた、本発明の脚カバーでは、前記第１および／または第２の吊具は、前記上着側および脚カバー本体側の少なくとも一方において、脚の周方向に間隔を開けた２点間を連結するガイド用紐体と、前記上着側および脚カバー本体側の他方から延びて、その端部が前記ガイド用紐体に係合する懸架用紐体とを備えて構成されることを特徴とする。
【００１４】
上記の構成によれば、前記第１および／または第２の吊具は、たとえば前記紐や帯に形成される懸架用紐体と、それが緩やかに係合するガイド用紐体とによって構成する。そして、ガイド用紐体は、前記上着側および脚カバー本体の少なくとも一方において、脚の周方向に間隔を開けた２点間を連結しており、それに前記上着側および脚カバー本体の他方から延びる懸架用紐体の端部が、緩やかに係合している（引っ掛かっている）。これによって、前記懸架用紐体の、前記ガイド用紐体の長手方向への移動（ずれ）が可能になる。
【００１５】
したがって、脚や腰の回転に対する脚カバーの自由度が向上し、ずれ（主にずり上がり）を防止することができるとともに、動きが楽になる。なお、ガイド用紐体は、前記上着側および脚カバー本体側の両方に設けられていて、懸架用紐体は、上着側および脚カバー本体側の両方で移動（ずれ）可能となっていてもよい。
【００１６】
また、本発明の脚カバーでは、前記腹部付近の前記第２の吊具に関して、前記上着側に前記ガイド用紐体が設けられ、前記懸架用紐体は、そのガイド用紐体によるループを通して、反対脚の懸架用紐体と１本に連結されることを特徴とする。
【００１７】
上記の構成によれば、前記上着の腹部付近の裏側に連結される第２の吊具を、上着側に設けられるガイド用紐体と、それに引掛けられる懸架用紐体とによって構成し、前記の引掛けを、ガイド用紐体によって形成されるループに、一方の脚からの懸架用紐体を通して、反対脚の懸架用紐体と１本に連結することで実現する。
【００１８】
したがって、自転車を漕いだり、歩いたりする場合の体前部（下腹部）側の第２の吊具の長さの変化を、左右の相反動作で解消することができる。
【００１９】
さらにまた、本発明の脚カバーでは、前記懸架用紐体は懸架ベルトから成り、該懸架ベルトには長手方向に複数箇所に第１の係止部材が設けられ、該懸架ベルトの先端に設けられる第２の係止部材が、前記上着と前記ガイド用紐体との間を挿通した後、任意の第１の係止部材に係止することで、前記連結片の長さ調整を実現することを特徴とする。
【００２０】
上記の構成によれば、前記脚カバー本体の懸架（吊下げ）を懸架ベルトで行うようにすると、ベルトの幅を利用して、釦などの第１の係止部材の取付けが可能になる。これを利用して、該第１の係止部材を複数箇所に設け、懸架ベルトの先端に設けた対応する第２の係止部材が係止することで、前記ループを形成するとともに、該懸架ベルトの長さ調整が可能になる。
【００２１】
したがって、脚カバー本体の懸架（吊下げ）と同時に、懸架ベルトの長さ調整も行なうことができる。
【００２２】
好ましくは、前記第１および第２の係止部材は、ホックであることを特徴とする。
【００２３】
上記の構成によれば、懸架ベルトに所定の幅があれば、ホックを設けることができるので、そのように構成し、ガイド用紐体に引っ掛けた（ループを作った）後の懸架ベルトの先のホックを、任意のホックに留めることで、脚カバー本体の吊下げとともに、懸架ベルトの長さ（脚カバーの高さ）調整も、容易に行なうことができる。
【００２４】
また、本発明の脚カバーでは、前記第１および第２の吊具において、前記上着側にはガイド用紐体が取付けられ、前記脚カバー本体側からは前記懸架用紐体が延びることを特徴とする。
【００２５】
上記の構成によれば、上着側での３箇所の吊具の連結部分にガイド用紐体を用いることで、上記の嵌着部材は、上着側に無くなり、脚カバー側のみに取付けられることになるので、嵌着部材の形状が変っても上着は継続して使用することができるとともに、上着のみの使用時に嵌着部材が邪魔になることもない。
【００２６】
さらにまた、本発明の脚カバーでは、前記第１および／または第２の吊具は、前記上着側および脚カバー本体側に基端側がそれぞれ固着される連結片と、前記連結片の遊端側にそれぞれ取付けられ、相互に嵌着する一対の嵌着部材とを備えて構成されることを特徴とする。
【００２７】
上記の構成によれば、前記第１の吊具と第２の吊具との少なくとも一方は、たとえば紐または帯状に形成されて、上着側に、前記縫い付けや接着などで固着される連結片と、それと対を成し、同様に縫い付けや接着などで脚カバー本体に固着される連結片とが、嵌着部材で連結されて、上着の裏側への脚カバー本体の吊下げを実現する。
【００２８】
したがって、嵌着部材の着脱で、連結片の連結／離脱、すなわち上着に対する脚カバー本体の着脱を、容易に行なうことができる。
【００２９】
また、本発明の脚カバーでは、前記一対の嵌着部材の一方には、前記連結片の長さ調整を実現するアジャスターを備えていることを特徴とする。
【００３０】
上記の構成によれば、前記一対の嵌着部材の一方を、サイドリリース式のアジャスターや、プッシュ釦式のアジャスターで実現し、アジャスター機能、すなわち前記紐または帯状の連結片の長さ調整を、フリーストップで可能にする。
【００３１】
したがって、脚カバー本体として、脚の長さに対応した多くの品種を揃えなくても、使用者は、脚カバー本体の下端位置を、踝等、適切な高さに調整することができる。
【００３２】
さらにまた、本発明の脚カバーでは、前記第１および／または第２の吊具は、前記上着側に固着される吊りカンと、前記脚カバー本体側から延びる紐体と、前記紐体の先端に取付けられ、前記吊りカンに係合するフックとを備えて構成されることを特徴とする。
【００３３】
上記の構成によれば、フックを吊りカンに引っ掛けるだけで、脚カバー本体を上着に連結することができる。紐体に、アジャスターが設けられていることが好ましい。
【００３４】
また好ましくは、前記脚カバー本体は、周方向の１箇所において、軸方向に延びるファスナーによって前記展開可能となっていることを特徴とする。
【００３５】
上記の構成によれば、ファスナーの連結基端を合わせて、スライダーをずらしてゆくだけで、展開していた脚カバーを簡単に筒状にすることができるとともに、連結部分の気密性を高め、風雨の侵入を抑えることもできる。特に、上（太股）側に連結基端を設け、下（踝）側に向けてエレメント（務歯）を閉じてゆくようにすると、煩雑になりがちな装着作業を、容易にできる。
【００３６】
また、本発明の脚カバーは、使用者の脚部を保護する脚カバーにおいて、左右の脚部をそれぞれ覆う筒状に形成され、その筒が少なくとも１箇所において展開可能な一対の脚カバー本体と、前記一対の脚カバー本体の外側部側を、使用者が着用したズボンの腰部付近におけるベルトまたはベルト通し孔にそれぞれ連結する第１の吊具と、前記脚カバー本体の内側部側を、前記ズボンの腹部付近のベルトまたはベルト通し孔にそれぞれ連結する第２の吊具とを含むことを特徴とする。
【００３７】
上記の構成によれば、吊具の一端が上着側に固着されていなくても、ズボンのベルトやベルト通し孔に前記吊具の一端を括り付けることで、同様の機能を実現することができる。
【００３８】
したがって、任意の上着との組合わせで脚カバーを装着することができ、意匠面や販売面での自由度が向上する。
【発明の効果】
【００３９】
本発明の脚カバーならびにそれを備える雨合羽およびジャンパーは、以上のように、オーバーパンツなどとして使用される脚カバーにおいて、脚カバー本体は着脱のために展開可能な一対の筒状に形成し、その筒状の脚カバー本体は上着の裏側やベルトに外側部側と内側部側との２箇所において、たとえば紐や帯状の吊具によって吊下げる。
【００４０】
それゆえ、使用者の股の内側から下腹部および臀部は露出しており（カバーに覆われておらず）、ムレを防ぐことができるとともに、上着に対して脚カバー本体の動きの自由度を高めることができる。
【図面の簡単な説明】
【００４１】
【図１】本発明の実施の一形態に係る脚カバーを備える雨合羽の正面図である。
【図２】前記雨合羽を使用者が着用した状態の正面図である。
【図３】前記雨合羽および脚カバーの使用方法を説明するための斜視図であり、背後側から見た図である。
【図４】前記雨合羽および脚カバーの使用方法を説明するための斜視図であり、前方から見た図である。
【図５】前記雨合羽および脚カバーの使用方法を説明するための斜視図であり、斜め前方から見た図である。
【図６】本発明の実施の他の形態に係る脚カバーを備えるジャンパーの正面図である。
【図７】前記ジャンパーおよび脚カバーの使用方法を説明するための斜視図であり、体側部側から見た図である。
【図８】本発明の実施のさらに他の形態に係る脚カバーを備える雨合羽の正面図である。
【図９】本発明の実施の他の形態に係る脚カバーの上着への連結部分を模式的に示す斜視図である。
【図１０】本発明の実施の他の形態に係る脚カバーの上着への連結部分を模式的に示す斜視図である。
【図１１】本発明の実施のさらに他の形態に係る脚カバーの上着への連結部分を模式的に示す斜視図である。
【発明を実施するための形態】
【００４２】
（実施の形態１）
図１は本発明の実施の一形態に係る脚カバー１を備える雨合羽５の正面図であり、図２はそれを使用者６が着用した状態の正面図である。この雨合羽５は、たとえば釣りや２輪車（自転車、バイク）運転の際に使用することができ、必要に応じて、本実施形態の脚カバー１を、使用者６が靴７を脱ぐこと無く、装着する（穿く）ことができものである。図１の例では、雨合羽５は、中央部に形成された開口部５１から、使用者６の頭部６１を出して被る、いわゆるポンチョの形態のものであるが、通常の簡易のレインコートのように、（後述の図６で示すような）前開きで、釦やファスナーで閉じるような形態のものでもよい。或いは、本発明は、雨合羽５ではなく、厚手の生地で、防寒機能などを備えたジャンパー９（後述の図６で示す）に実施されてもよい。本実施形態は、雨合羽５で説明する。
【００４３】
本実施形態の脚カバー１は、上記雨合羽５やジャンパー９などの上着に組合わせて使用され、オーバーパンツなどとしてズボン８（図３参照）の上に穿かれるなどして、風雨、汚れ、寒さなどから、使用者６の脚部６３（図３参照）を保護するものである。雨合羽５において、使用者６の頭部６１を保護するフード５２や、頚部６２を覆うタートルネック５３は、適宜設けられていればよい。
【００４４】
図３〜図５は、前記雨合羽５および脚カバー１の使用方法を説明するための斜視図である。本実施形態の特徴は、雨合羽５と脚カバー１との連結部分にあり、その連結部分を明らかにするために、図３〜図５では、雨合羽５の裾５４から腰部５５（図１参照）までを捲り上げて示している。その雨合羽５の裾５４には、左右の脚部６３の間で、前後を連結する釦などの係止部材５９が設けられており、これを止めることで、前記２輪車乗車時に、風圧による裾５４の捲り上がりを防止することができる。
【００４５】
本実施形態の脚カバー１は、使用者６の脚部６３（ズボン８）を通す左右一対の脚カバー本体１１と、一対の脚カバー本体１１の外側部１２側を、上着である雨合羽５の腰部５５付近の裏側５５ａにそれぞれ連結する第１の吊具２１と、前記脚カバー本体１１の内側部１３側を、雨合羽５の腹部５６付近の裏側５６ａに連結する第２の吊具２２とを備えて構成される。
【００４６】
脚カバー本体１１は、使用者６の太股６４から足首６９付近の脚部６３を覆う筒状に形成される。そして、その筒が少なくとも周方向の１箇所（本実施形態では１箇所のみ）において、ファスナー１４によって、軸方向に分離することで、展開して装脱可能に構成されている。これによって、使用者６は、上着である雨合羽５を着たままで、しかも自転車のサドルなどに腰掛けたまま、靴７を脱ぐこと無く、脚部６３に巻き付けて、当該脚カバー１を装着できるようになっている。特に、ファスナー１４は、上（太股６４）側に連結基端１４１を設け、下（踝）側に向けてスライダー１４２をずらしてエレメント（務歯）１４３を閉じてゆくようにすると、煩雑になりがちな装着作業を、容易にできる。こうして、ファスナー１４を使用することで、展開していた脚カバー本体１１を簡単に筒状にすることができるとともに、連結部分の気密性を高め、風雨の侵入を抑えることもできる。
【００４７】
そして、本実施形態では、その筒状の脚カバー本体１１の外側部１２を、上着である雨合羽５の腰部５５における裏側５５ａから、第１の吊具２１によって吊下げる。詳しくは、第１の吊具２１は、ガイドベルト２３と、懸架ベルト２１０とを備えて構成される。ガイドベルト２３は、前記雨合羽５の腰部５５付近の裏側５５ａにおいて、縫い付けや接着などで脚部６３の周方向に間隔を開けた２点間を連結しており、これに、以下のようにして、懸架ベルト２１０のループが、緩やかに係合している（引掛かっている）。
【００４８】
懸架ベルト２１０は、脚カバー本体１１の外側部１２に、縫い付けや接着などで一端２１１，２１２が共に固着された第１および第２のベルト本体２１３，２１４と、それらのベルト本体２１３，２１４の先端にそれぞれ取付けられる嵌着部材２１５，２１６とを備えて構成される。そして、相対的に長い方のベルト本体（図１では２１３）が、たとえば前記ガイドベルト２３と雨合羽５との間の隙間に下方側から通され、上方側で折返されて、嵌着部材２１５，２１６が互いに嵌着することで、ベルト本体２１３，２１４によって形成されたループが、上述のようにガイドベルト２３に緩やかに係合し（引っ掛かり）、脚カバー本体１１の外側部１２の雨合羽５の腰部５５付近の裏側５５ａへの吊下げが可能になる。
【００４９】
嵌着部材２１５，２１６は、雌雄の関係で、相互に嵌着することができる。図１、図４および図５の例では、嵌着部材２１５，２１６は、サイドリリース式のアジャスターに形成されるが、プッシュ釦で解除されるアジャスターなどで実現されてもよい。嵌着部材２１５，２１６は、鞄やスーツケースなどで使用されている汎用品で、一方の嵌着部材２１６には、フリーストップで、第２のベルト本体２１４の長さ調整を実現するアジャスター２１７が設けられている（図１では、調整で余剰になったベルトを参照符号２１８で示している）。なお、ガイドベルト２３およびベルト本体２１３，２１４は、帯状に形成されるが、断面が円柱状の紐などであってもよく、特許請求の範囲では、紐およびベルトを総称して、紐体としている。
【００５０】
一方、脚カバー本体１１の内側部１３側は、第２の吊具２２によって、雨合羽５の腹部５６付近の裏側５６ａから吊下げられる。詳しくは、第２の吊具２１は、前記ガイドベルト２３と、懸架ベルト２２０とを備えて構成される。ガイドベルト２３は、前記雨合羽５の腹部５６付近の裏側５６ａにおいて、縫い付けや接着などで脚部６３の周方向に間隔を開けた２点間を連結しており、これに、以下のようにして、懸架ベルト２２０のループが、緩やかに係合している（引掛かっている）。
【００５１】
懸架ベルト２２０は、脚カバー本体１１の内側部１３側に、縫い付けや接着などで一端２２１がそれぞれ固着されたベルト本体２２２と、それらのベルト本体２２２の先端にそれぞれ取付けられる嵌着部材２２５，２２６とを備えて構成される。そして、相対的に長い方のベルト本体（図１では向かって左側（使用者６の右脚側））が、たとえば前記ガイドベルト２３と雨合羽５との間の隙間に下方側から通され、上方側で折返されて、その先端の嵌着部材２２５が短い方のベルト本体（図１では向かって右側（使用者６の左脚側））の先端の嵌着部材２２６に嵌着することで、ベルト本体２２２によって形成されたループが、上述のようにガイドベルト２３に緩やかに係合し（引っ掛かり）、脚カバー本体１１の内側部１３側の雨合羽５の腹部５６付近の裏側５６ａへの吊下げが可能になる。
【００５２】
これらの第２の吊具２２を構成するガイドベルト２３およびベルト本体２２２も、紐であってもよい。そして、嵌着部材２２５，２２６も、サイドリリース式のアジャスターに形成されるが、プッシュ釦で解除されるアジャスターなどで実現されてもよい。嵌着部材２２５には、フリーストップで、ベルト本体２２２の長さ調整を実現するアジャスター２２７が設けられている（図１では、調整で余剰になったベルトを参照符号２２８で示している）。
【００５３】
こうして、第１および第２の吊具２１，２２によって脚カバー本体１１を雨合羽５に吊下げることで、図４で示すように、使用者６の股６６の内側から下腹部６７および図３で示すように臀部６８は露出しており（脚カバー１１に覆われておらず）、ムレを防ぐことができるとともに、雨合羽５に対して脚カバー本体１１の動きの自由度を高めることができる。
【００５４】
さらに、本実施形態では、脚カバー本体１１と雨合羽５との連結を、第１および第２の吊具２１，２２によって、一対の脚カバー本体１１の外側部１２側と内側部１３側との２箇所、すなわち筒の略１８０°対向位置で行なうことで、脚部６３の動きによる該脚カバー本体１１と下（内）側のズボン８などに対するずれを、バランス良く規制することができ、動き易くなっている。
【００５５】
ここで、実開平１−８３０９号には、ファスナーを閉じて筒状にして、脚部に装着可能になるレインズボンにおいて、前記筒は、内側部部分から左右に切れ上がり、その切れ上がった先にフックを設け、そのフックを、上述のようにズボンのベルトに引っ掛けることで装着できるようにしたものが示されている。それによれば、腹部および臀部は開放しているものの、筒の内側部側は左右に切離されて、どちらもぶら下げられていない。したがって、前記筒は、左右の側で（斜めに）引っ張り上げられることになり、内側に穿いているズボンが捲り上げられたり、脚の自由度が低いという特許文献１と同様の問題がある。
【００５６】
また、嵌着部材２１５，２１６；２２５，２２６の着脱で、吊具２１，２２の連結／離脱、すなわち雨合羽５に対する脚カバー本体１１の着脱を、容易に行なうことができるとともに、アジャスター２１７，２２７によるベルト２１８，２２８の調整で、脚カバー本体１１として、脚部６３の長さに対応した多くの品種を揃えなくても、使用者６は、脚カバー本体１１の下端位置を、踝等、適切な高さに調整することができる。
【００５７】
ここで、第２の吊具２２のベルト本体２２２については、嵌着部材２２５，２２６の他方側を、ガイドベルト２３を通して、反対脚のベルト本体２２２とするのではなく、第１の吊具２１と同様に、ベルト本体２２２が、それぞれガイドベルト２３に緩やかに係合していてもよい。しかしながら、自転車を漕いだり、歩いたりする場合、脚部６３が交互に前後すると、体側部（腰部６５）側の第１の吊具２１については長さの変化が比較的少ないのに対して、体前部（下腹部６７）側の第２の吊具２２の長さの変化は比較的大きくなる。しかしながら、この体前部（下腹部６７）側の第２の吊具２２の長さの変化は、片方で延びて、もう片方は縮む相反動作となる。そこで、左右の脚の第２の吊具２２をガイドベルト２３を通して（潜らせて）連結しておくことで、吊具２２自体に伸縮性が無くても（全長が変らなくても）、あるいは無闇に吊具２２を長目に形成していなくても（弛ませておかなくても）そのような脚部６３の伸び縮みに対応することができ、好適である。
【００５８】
そして、上述の実施形態では、ガイドベルト２３は、脚部６３の周方向に間隔を開けた２点間を連結しており、これにベルト本体２１３，２１４；２２２のループが、緩やかに係合している（引掛かっている）。したがって、第１および第２の吊具２１，２２のガイドベルト２３の長手方向への移動（ずれ）が可能になり、使用者６の脚部６３や腰部６５の回転に対する脚カバー１の自由度が向上し、ずれ（主にずり上がり）を防止することができるとともに、動きが楽になる。
【００５９】
また、本実施形態の脚カバー１では、上着、すなわち、雨合羽５側には、ガイドベルト２３しか設けられておらす、したがって該脚カバー１無しで使用する場合に余分となる嵌着部材２１５，２１６；２２５，２２６、アジャスター２１７，２２７、ベルト本体２１３，２１４；２２２などが、邪魔になることは無く、また上着のコスト面でも、使用者の不満も少なくなる。さらに、これらの嵌着部材２１５，２１６；２２５，２２６の形状が変っても、上着（雨合羽５）は継続して使用することができる。
【００６０】
さらにまた、前記一対の脚カバー本体１１は、相互に対称に構成され、共にファスナー１４で装脱（展開）可能に形成されている。そのため、その左右分の脚カバー本体１１を、展開箇所（ファスナー１４）において互いに連結することで、太い筒に形成することが可能になり、スカートの様に使用者６の左右の脚部６３を纏めてカバーすることができる。こうして、共通の脚カバー本体１１を用いて、オーバーパンツだけではなく、オーバースカートとしての使用も可能になり、該脚カバー１１を男女共通に使用することもできる。
（実施の形態２）
図６は本発明の実施の他の形態に係る脚カバー１ａを備えるジャンパー９の正面図であり、図７は前記ジャンパー９および脚カバー１ａの使用方法を説明するための斜視図であり、体側部側から見た図である。図６および図７において、図１〜図５の構成に類似し、対応する部分には同一の参照符号を付して、その説明を省略する。先ず、本実施形態では、脚カバー本体１１ａは、ファスナー１４に代えて、釦（ホック）１７で周方向に展開可能となっている。
【００６１】
注目すべきは、第１の吊具３１は前記のガイドベルト２３および懸架ベルト３１０を備えて構成され、第２の吊具３２はガイドベルト２３ａおよび懸架ベルト３２０を備えて構成され、ベルト本体３１１，３２１が幅広のベルトに形成されることを利用して、係止部材となる釦３１２，３１３；３２２，３２３によって、脚カバー本体１１ａをジャンパー９に連結することである。
【００６２】
詳しくは、ベルト本体３１１の下端部３１２は、脚カバー本体１１ａの外側部１２側に縫い付けられるとともに、該ベルト本体３１１は、長手方向に複数箇所に、第１の係止部材としての釦３１４が設けられ、該ベルト本体３１１の先端３１５に設けられる第２の係止部材としての釦３１３が、ジャンパー９とガイドベルト２３との間を挿通した後、任意の釦３１４に係止し、ループを作成することで、第１の吊具３１の長さ調整をも実現する。
【００６３】
同様に、脚カバー本体１１ａの内側部１３側にはベルト本体３２１の下端部３２２が縫い付けられるとともに、左右の内の一方のベルト本体３１１には、長手方向に複数箇所に、第１の係止部材としての釦３２４が設けられ、他方のベルト本体３２１の先端３２５がガイドベルト２３ａを通過した後、それに設けられる第２の係止部材としての釦３２３が任意の釦３２４に係止し、ループを作成することで、第２の吊具３２の長さ調整をも実現する。本実施形態では、ジャンパ−９はファスナー９５によって前開きであるので、ガイドベルト２３ａは、腹部５６のファスナー９５付近で、縦長に取付けられている。
【００６４】
このように構成することで、脚カバー本体１１ａの懸架（吊下げ）を懸架用ベルトとしてのベルト本体３１１，３２１で行うようにすると、ベルトの幅を利用して、第１および第２の係止部材としての釦３１２，３１３；３２２，３２３などの取付けが可能になる。これを利用して、第１の係止部材３１４，３２４を複数箇所に設け、ベルトの先端３１５，３２５に設けた対応する第２の係止部材３１３，３２３が係止することで、ループを形成するとともに、第１および第２の吊具３１，３２の長さ調整が可能になる。したがって、脚カバー本体１１ａの懸架（吊下げ）と同時に、第１および第２の吊具３１，３２の長さ調整も行なうことができる。
【００６５】
さらに、第１および第２の係止部材として、上述のように、釦（ホック）釦３１４，３１３；３２４，３２３を用いることで、任意の釦（ホック）釦３１４，３１３；３２４，３２３に留めることで、脚カバー本体１１ａの吊下げとともに、第１および第２の吊具３１，３２の長さ（脚カバー１ａの高さ）調整も、容易に行なうことができる。
（実施の形態３）
図８は本発明の実施のさらに他の形態に係る脚カバー１ｂを備える雨合羽５の正面図である。図８において、図１〜図５の構成に類似し、対応する部分には同一の参照符号を付して、その説明を省略する。注目すべきは、本実施形態では、脚カバー本体１１の外側部１２側を上着（５，９）の腰部５５の裏面５５ａに連結する第１の吊具２１ａの着脱および長さ調整の態様が、前記第１の吊具２１と異なることである。詳しくは、雨合羽５側には前記ガイドベルト２３が設けられておらず、この第１の吊具２１ａは、懸架ベルト２１０ａのみで構成されていることである。そのため、第１のベルト本体２１３ａの一端（上端）２１１ａは、上着である雨合羽５の腰部５５における裏側５５ａに、縫い付けや接着などで直接固着されており、他端に設けられた嵌着部材２１５が、脚カバー本体１１の外側部１２から延びるベルト本体２１４の嵌着部材２１６に嵌着する。
【００６６】
このように構成することで、自転車の乗車時や歩行時に、内側部１３側に比べて伸縮の少ないベルト本体２１３ａ，２１４を、簡単な構成で実現することができる。
【００６７】
上述の実施形態では、第１および第２の吊具２１，２１ａ，３１；２２は、上着である雨合羽５やジャンパー９に連結（吊下げ）されたが、本発明の他の実施形態として、ズボンやスカートにおけるベルトもしくはベルト通し孔に、それらの第１および第２の吊具２１，２１ａ，３１；２２が連結されるようにしてもよい。したがって、使用者６が着用するズボンやスカートに、ベルトもしくはベルト通し孔があれば、脚カバー１，１ａ，１ｂは、既に市販されている何れの雨合羽やジャンパーとの組合わせが可能となる。これによって、傷み易い脚カバー１，１ａ，１ｂだけを交換することができる。なお、前述のように、上着（５，９）側の負担（コストアップや変更など）は、ガイドベルト２３を設ける脚カバー１，１ａにおいても、少なくすることができる。また、脚カバー本体１，１１ａを筒から帯に展開可能とするにあたって、ファスナー１４や釦（ホック）１７に代えて、面ファスナーが用いられてもよい。
（実施の形態４）
図９および図１０は、本発明の実施の他の形態に係る脚カバーの１ｃ，１ｄの上着（５，９）への連結部分を模式的に示す斜視図である。これらの図９および図１０において、図１〜図８に類似し、対応する部分には同一の参照符号を付して、その説明を省略する。本実施形態では、脚カバー本体は、ファスナー１４式の脚カバー本体１１と、釦１７式の脚カバー本体１１ａとの何れであってもよい。
【００６８】
注目すべきは、脚カバー本体１１，１１ａの外側部１２側を上着（５，９）の腰部５５の裏面５５ａに連結する第１の吊具４１ａ，４１ｂの着脱および長さ調整の態様が、前記第１の吊具２１，３１と異なることである。詳しくは、上着（５，９）側には前記ガイドベルト２３が設けられ、同様に脚カバー本体１１，１１ａにもガイドベルト４２が設けられ、それらの間を懸架ロープ４３，４４；４５で連結することである。第１の吊具４１ａでは、ガイドベルト４２，２３に対して、それらを内包するループ状に形成される懸架ロープ４３，４４がそれぞれ設けられる。そして、それぞれのループ内に、嵌着部材４６ａ，４７ａが設けられ、また、相対的に長い懸架ロープ４３のループ内には、調整部材４８が設けられている。
【００６９】
これに対して、第１の吊具４１ｂでは、ガイドベルト４２，２３を１つのループ内に内包する懸架ロープ４５が設けられており、その懸架ロープ４５の両端部４５１，４５２には嵌着部材４６ｂ，４７ｂが設けられ、またループ内には、調整部材４８が設けられている。
【００７０】
嵌着部材４６ａ，４７ａには懸架ロープ４３，４４が挿通されており、嵌着部材４６ｂ，４７ｂには懸架ロープ４５の両端部４５１，４５２が固着されている点で異なる。嵌着部材４６ａ，４６ｂ；４７ａ，４７ｂは、雌雄の嵌め込み式で、所定の力以上で嵌着部材４７ａ，４７ｂの突起４７１を嵌着部材４６ａ，４６ｂの凹所４６１に押し込むと、該突起４７１に形成された係止片４７２が凹所４６１の内周面に係止し、リリース釦４６２が押し込まれると、前記係止状態が解除され、突起４７１を凹所４６１から引抜くことが可能になる。
【００７１】
調整部材４８は、大略、小判型に形成された本体４８１の一方の面側から、該本体４８１に形成された一方の孔４８２に懸架ロープ４３，４５が挿通され、他方の面側で折返し、前記孔４８２に並んで形成されたもう１つの孔４８３から一方の面側に引出されることで、前記孔４８２，４８３間の弛みによって、懸架ロープ４３，４５の長さ、すなわち脚カバー本体１１，１１ａの裾の高さを調整するものである。そのため、前記小判の側面には、係止状態となるように適宜付勢されたストッパ４８４が設けられており、ストッパ４８４が押し込まれると、前記孔４８２，４８３内に臨むこのストッパの先端が後退して懸架ロープ４３，４５の摺動が可能になり、ストッパ４８４の押し込みを止めると、ストッパの先端が突出して懸架ロープ４３，４５を係止する。こうして、懸架ロープ４３，４５の長さ調整が可能になっている。
（実施の形態５）
図１１は、本発明の実施のさらに他の形態に係る脚カバーの１ｅの上着（５，９）への連結部分を模式的に示す斜視図である。この図１１において、図１〜図１０に類似し、対応する部分には同一の参照符号を付して、その説明を省略する。本実施形態も、脚カバー本体１１，１１ａの外側部１２側を上着（５，９）の腰部５５の裏面５５ａに連結する第１の吊具４１ｃの着脱および長さ調整の態様が、前記第１の吊具２１，３１，４１ａ，４１ｂと異なる。
【００７２】
詳しくは、上着（５，９）側には吊りカン（図１１の例ではＤカン）４９１または前記ガイドベルト２３が設けられ、脚カバー本体１１，１１ａ側にはフック４９２が設けられる。吊りカン４９１の場合、第１のベルト本体２１３ａの一端（上端）２１１ａが上着（５，９）に縫い付けや接着などで直接固着されており、他端に吊りカン４９１が設けられる。
【００７３】
そして、脚カバー本体１１，１１ａの外側部１２から延びるベルト本体２１４には、途中にアジャスター２１７ａが設けられ、先端にフック４９２が設けられている。フック４９２は、Ｊ字状などに形成されて前記吊りカン４９１やガイドベルト２３に係合する（ぶら下がる）本体４９２１に対して、前記吊りカン４９１やガイドベルト２３を通過可能に開閉する開閉部材４９２２が、対向して配置されて構成される。開閉部材４９２２は、この図１１のように板バネ式に開閉するものではなく、ピン操作によるスライドなどで開閉するものであってもよい。フック４９２において、前記ベルト本体２１４は基体４９２３に挿通されており、その基体４９２３に対して、ピン４９２４によって、本体４９２１は回動可能となっている。
【００７４】
このように構成してもまた、上着（５，９）に脚カバー本体１１，１１ａを、適度な隙間を開けて（下腹部６７および臀部６８を露出させて）ぶら下げることができる。これらの第１の吊具４１ａ，４１ｂ，４１ｃは、腹部５６側の第２の吊具２１，３１に用いられてもよい。
【００７５】
一方、脚カバー１，１ａ，１ｂ，１ｃ，１ｄ，１ｅを、不使用時に収納する袋（ポーチ）を設けてもよい。図１１にその一例を示す。袋１００は、ファスナー１０１などで開閉可能となっている。この袋１００内に脚カバー１，１ａ，１ｂ，１ｃ，１ｄ，１ｅを収納して、それぞれに設けられている吊具２１，２１ａ，２２，３２を、ガイドベルト２３，２３ａや吊りカン４９１に引掛け、袋１００を上着（５，９）の内側に吊下げておくようにしてもよい。或いは、図１１で示すように、袋１００にも前記フック４９２を設けて、ガイドベルト２３，２３ａや吊りカン４９１に引掛けるようにしてもよく、そうすることで、袋１００とフック４９２とを連結するベルト１０２を短くでき、上着（５，９）の内側での袋１００の位置を高くすることができる。
【００７６】
また、袋１００は、脚カバー１，１ａ，１ｂ，１ｃ，１ｄ，１ｅの左右各脚分を収納するようにして、それぞれ腰部５５に吊下げるようにしてもよく、両脚分を１つの袋に収納し、腹部５６に吊下げるようにしてもよい。
【符号の説明】
【００７７】
１，１ａ，１ｂ，１ｃ，１ｄ，１ｅ    脚カバー
１１，１１ａ  脚カバー本体
１２    外側部
１３    内側部
１４    ファスナー
１４２  スライダー
１７    釦（ホック）
１００  袋
２１，２１ａ    第１の吊具
２１０，２１０ａ    懸架ベルト
２１３，２１３ａ，２１４    ベルト本体
２１５，２１６    嵌着部材
２１７，２２７    アジャスター
２２    第２の吊具
２２０，２２０ａ    懸架ベルト
２２５，２２６    嵌着部材
２３，２３ａ    ガイドベルト
３１    第１の吊具
３１０    懸架ベルト
３１１    ベルト本体
３１３，３１４    釦
３２    第２の吊具
３２０    懸架ベルト
３２１    ベルト本体
３２３，３２４    釦
４１ａ，４１ｂ    第１の吊具
４２    ガイドベルト
４３，４４，４５    懸架ロープ
４６ａ，４６ｂ；４７ａ，４７ｂ    嵌着部材
４８    調整部材
４８４  ストッパ
４９１  吊りカン
４９２  フック
５    雨合羽
５４    裾
５５    腰部
５５ａ  裏側
５６    腹部
５６ａ  裏側
６    使用者
６１    頭部
６３    脚部
６４    太股
６５    腰部
６６    股
６７    下腹部
６８    臀部
６９    足首
７    靴
８    ズボン
９    ジャンパー
９５    ファスナー
【図１】
2017110306.tif 000003
【図２】
2017110306.tif 000004
【図３】
2017110306.tif 000005
【図４】
2017110306.tif 000006
【図５】
2017110306.tif 000007
【図６】
2017110306.tif 000008
【図７】
2017110306.tif 000009
【図８】
2017110306.tif 000010
【図９】
2017110306.tif 000011
【図１０】
2017110306.tif 000012
【図１１】
2017110306.tif 000013